(57)【要約】【課題】偏光変換素子アレイに対する冷却効率を向上させ、投写される画像のコントラストを向上できるプロジェクタを提供すること。【解決手段】プロジェクタ１は、光源４１１と偏光変換素子アレイ５１０と変調装置４４と投写レンズ４６とを備え、偏光変換素子アレイ５１０の入射面５２０Ａには、薄膜５４０が形成され、薄膜５４０は、入射光束を入射する開口部５４１と、入射光束を遮光する遮光部５４２と、を有し、開口部５４１は、入射面５２０Ａの外形に対して内側で、有効入射領域５２０Ｂに対応させて有効入射領域５２０Ｂに沿って形成され、遮光部５４２は、開口部５４１以外の領域に形成されている。また、開口部５４１の少なくとも一部の領域は、入射面５２０Ａの外形端部に達している。【選択図】図３
2010044298.tif 000002
【特許請求の範囲】
【請求項１】
光源と、
前記光源から射出された光束を２種類の直線偏光光束に分離する複数の偏光分離膜と、前記偏光分離膜で分離された２種類の直線偏光光束のうち一方を反射する複数の反射膜と、前記複数の偏光分離膜に入射する入射光束が通過する複数の有効入射領域と前記複数の有効入射領域に隣接する複数の無効入射領域とが交互に配置される入射面と、前記複数の偏光分離膜で分離された２種類の直線偏光光束のうち一方の直線偏光光束を他方の直線偏光光束に変換する位相差板とを有する偏光変換素子アレイと、
前記偏光変換素子アレイから射出された前記直線偏光光束を画像信号に応じて変調する変調装置と、
変調された光束を投写する投写装置と、を備え、
前記偏光変換素子アレイの前記入射面には、薄膜が形成され、当該薄膜は、前記入射光束を通過させる開口部と、前記有効入射領域に入射しない光束を遮光する遮光部と、を有し、
前記開口部は、前記入射面の外形に対して内側で、前記有効入射領域に対応させて前記有効入射領域に沿って形成され、前記遮光部は、当該開口部以外の領域に形成されていることを特徴とするプロジェクタ。
【請求項２】
請求項１に記載のプロジェクタであって、
前記開口部の少なくとも一部の領域は、前記入射面の外形端部に達していることを特徴とするプロジェクタ。
【請求項３】
請求項１または請求項２に記載のプロジェクタであって、
前記有効入射領域に相対し、当該有効入射領域に沿って形成される第２の開口部と、当該第２の開口部以外の領域で前記入射光束を遮光する第２の遮光部と、を有する遮光部材を備えていることを特徴とするプロジェクタ。
【請求項４】
請求項１〜請求項３のいずれか一項に記載のプロジェクタであって、
前記薄膜の前記遮光部は、金属製の薄膜で構成されていることを特徴とするプロジェクタ。
【請求項５】
請求項１〜請求項３のいずれか一項に記載のプロジェクタであって、
前記薄膜の前記遮光部は、前記入射光束の波長帯域において、少なくとも一部の前記波長帯域を遮光する誘電体多層膜で構成されていることを特徴とするプロジェクタ。
【請求項６】
請求項５に記載のプロジェクタであって、
前記誘電体多層膜は、前記入射光束のうち、少なくとも緑色光および青色光の前記波長帯域を遮光することを特徴とするプロジェクタ。
【請求項７】
請求項１〜請求項６のいずれか一項に記載のプロジェクタであって、
前記変調装置は、前記直線偏光光束が入射する入射側偏光板と、当該入射側偏光板を透過した光束を変調する液晶パネルと、前記液晶パネルで変調された光束を透過する射出側偏光板と、を有し、
前記薄膜の前記開口部は、前記入射面において、前記入射側偏光板と前記射出側偏光板とのそれぞれの偏光軸方向に相対する領域に対するＦナンバーが、前記偏光軸方向に対して斜めとなる方向に相対する領域に対するＦナンバーに比べて小さくなるように形成されていることを特徴とするプロジェクタ。
【発明の詳細な説明】
【技術分野】
【０００１】
本発明は、プロジェクタに関する。
【背景技術】
【０００２】
プロジェクタは、光源から射出された光束を、画像信号に基づき変調して光学像を形成し、形成された光学像を投写レンズなどを介して、スクリーンなどの投写対象面に光学像を投写する装置である。従来、プロジェクタにおいて、光源から射出される光束の利用効率を高める目的で、射出された光束を１種類の直線偏光光に変換する偏光変換素子アレイが用いられている。また、偏光変換素子アレイの光束入射面に入射する光の一部を入射光束として偏光変換素子アレイの有効入射領域に入射させ、また、偏光変換素子アレイの無効入射領域に対しては遮光する遮光板が、例えば、偏光変換素子アレイの入射面の前方側に設置されている。
【０００３】
特許文献１では、第１の開口部として、所定間隔で配列された偏光変換素子の入射面上の複数の入射領域（有効入射領域）とそれぞれ同じ所定間隔で配置され、偏光変換素子の入射面に対応した形状を有する複数の第１の開口部の間に、複数の入射領域よりも小さい面積の第２の開口部を配列した第１の遮光板を摺動可能に有している。また、複数の入射領域と同形状の複数の開口部を所定間隔で配列した第２の遮光板を有している投写型映像装置が開示されている。これによると、第２の遮光板に対して第１の遮光板を摺動させることにより、光量を絞った際に、スクリーンに投写された映像のコントラスト性能を向上させている。
【０００４】
また、特許文献２では、偏光変換素子の有効領域に対応するスリットが設けられたスリット状開口板に遮光部を設け、この遮光部により第２の液晶パネルに入射する光の入射角度及び入射方位を制限して、コントラストを向上させることが、開示されている。
【０００５】
また、特許文献３では、遮光部を、偏光変換素子アレイの無効入射領域にアルミニウムなどを蒸着して形成することなどが開示されている。この遮光部によれば、無効入射領域に直接アルミニウムが蒸着されているため、別体で遮光板を設置する従来の構成に比べて、熱伝導性も向上し、偏光変換素子アレイの冷却効率を向上させることができる。
【０００６】
【特許文献１】特開２００７−６５５１９号公報
【特許文献２】特開２００４−１３８７４６号公報
【特許文献３】特開平１１−２３１２６４号公報
【発明の開示】
【発明が解決しようとする課題】
【０００７】
しかし、特許文献１のように、第１の遮光板と第２の遮光板との２つの遮光板を有することにより、遮光板の部品固数が増えることや摺動構造も複雑となることにより、部品コストや、投写型映像装置の組み立てコストも上がってしまうという課題がある。また、冷却ファンを用いて偏光変換素子を冷却した場合に、２つの遮光板を用いることにより、冷却空気の流れが遮られることなどにより、偏光変換素子に対する冷却効率が低下するという課題が考えられる。また、特許文献２では、従来の構成と略同様のため、偏光変換素子に対する冷却効率は、従来と同様である。従って、偏光変換素子アレイに対する冷却効率を向上させ、投写される画像のコントラストを向上できるプロジェクタが要望されていた。
【課題を解決するための手段】
【０００８】
本発明は、上述した課題の少なくとも一部を解決するためになされたものであり、以下の形態または適用例として実現することが可能である。
【０００９】
［適用例１］本適用例に係るプロジェクタは、光源と、光源から射出された光束を２種類の直線偏光光束に分離する複数の偏光分離膜と、偏光分離膜で分離された２種類の直線偏光光束のうち一方を反射する複数の反射膜と、複数の偏光分離膜に入射する入射光束が通過する複数の有効入射領域と複数の有効入射領域に隣接する複数の無効入射領域とが交互に配置される入射面と、複数の偏光分離膜で分離された２種類の直線偏光光束のうち一方の直線偏光光束を他方の直線偏光光束に変換する位相差板とを有する偏光変換素子アレイと、偏光変換素子アレイから射出された直線偏光光束を画像信号に応じて変調する変調装置と、変調された光束を投写する投写装置と、を備え、偏光変換素子アレイの入射面には、薄膜が形成され、薄膜は、入射光束を通過させる開口部と、有効入射領域に入射しない光束を遮光する遮光部と、を有し、開口部は、入射面の外形に対して内側で、有効入射領域に対応させて有効入射領域に沿って形成され、遮光部は、開口部以外の領域に形成されていることを特徴とする。
【００１０】
このような構成によれば、入射面の外形に対して内側で、有効入射領域に対応させて有効入射領域に沿って形成される開口部を有することにより、従来のように、入射面の外形に渡って、有効入射領域に対応させて有効入射領域に沿ってストライプ状に形成されること以外に、開口部の形状を入射面の外形に対して内側で、適宜、形成することができるため、スクリーンなどに投写される画像のコントラストを、例えば変調装置の視野角特性などに合わせて調整しやすくなり、コントラストを向上することができる。併せて、入射面に開口部と遮光部とを有する薄膜を形成するため、偏光変換素子アレイの冷却効率を向上させることができる。
【００１１】
［適用例２］上記適用例に係るプロジェクタにおいて、開口部の少なくとも一部の領域は、入射面の外形端部に達していることが好ましい。
【００１２】
このような構成によれば、入射面に薄膜を形成させるために使用する治具としてのマスクにおいて、開口部の少なくとも一部の領域を入射面の外形端部に達するように形成することにより、開口部を形成させるマスク部材を接続することができ、１つのマスクで構成することができる。従って、別体でマスクを構成して薄膜を形成させる場合に比べて、入射面への薄膜の形成を効率的に行なうことができ、入射面に対する開口部の位置ずれも低減でき、高精度に形成することができる。
【００１３】
［適用例３］上記適用例に係るプロジェクタにおいて、有効入射領域に相対し、有効入射領域に沿って形成される第２の開口部と、第２の開口部以外の領域で入射光束を遮光する第２の遮光部と、を有する遮光部材を備えていることが好ましい。
【００１４】
開口部の一部の領域が入射面の外形端部に達するように形成する場合、無効入射領域に形成される領域が発生する場合がある。しかし、このような構成の遮光部材により、この無効入射領域に形成された領域を遮光することができるため、入射面に形成した開口部の無効入射領域に形成される領域への、光束の入射を防止することができる。
【００１５】
［適用例４］上記適用例に係るプロジェクタにおいて、薄膜の遮光部は、金属製の薄膜で構成されていることが好ましい。
【００１６】
このような構成によれば、入射面に形成する薄膜の遮光部は、金属製の薄膜で構成されていることにより、例えば、アルミニウムの薄膜で構成した場合、入射光束を確実に遮光することができる。また、金属製であるため熱伝導率も良く、偏光変換素子アレイの冷却効率を向上させることもできる。
【００１７】
［適用例５］上記適用例に係るプロジェクタにおいて、薄膜の遮光部は、入射光束の波長帯域において、少なくとも一部の波長帯域を遮光する誘電体多層膜で構成されていることが好ましい。
【００１８】
このような構成によれば、誘電体多層膜は、入射光束の波長帯域において、少なくとも一部の波長帯域を遮光することにより、光源が射出する光束（入射光束）の色温度に対し、ホワイトバランスを調整することができるため、スクリーンなどに投写される画像全体のカラーバランスを調整できる。また、入射光束の波長帯域全体（可視光）を遮光することもできる。
【００１９】
［適用例６］上記適用例に係るプロジェクタにおいて、誘電体多層膜は、入射光束のうち、少なくとも緑色光および青色光の波長帯域を遮光することが好ましい。
【００２０】
このような構成によれば、誘電体多層膜は、緑色光および青色光の波長帯域を遮光し、赤色光を透過する。これにより、光源から射出される光束が、色温度が高く、青みがかった白色となっている場合、緑色光および青色光を遮光させて、赤色光を透過させることにより、赤色光の光量比を相対的に増やすことにより、誘電体多層膜から射出される光束の色温度を低くすることができ、赤みがかった白色の方向にホワイトバランスを調整することができる。
【００２１】
［適用例７］上記適用例に係るプロジェクタにおいて、変調装置は、直線偏光光束が入射する入射側偏光板と、入射側偏光板を透過した光束を変調する液晶パネルと、液晶パネルで変調された光束を透過する射出側偏光板と、を有し、薄膜の開口部は、入射面において、入射側偏光板と射出側偏光板とのそれぞれの偏光軸方向に相対する領域に対するＦナンバーが、偏光軸方向に対して斜めとなる方向に相対する領域に対するＦナンバーに比べて小さくなるように形成されていることが好ましい。
【００２２】
このような構成によれば、入射側偏光板と射出側偏光板のそれぞれの偏光軸方向に相対する領域の開口部を、偏光軸方向に対して斜めとなる方向に相対する開口部より大きく設定することで、入射側偏光板と射出側偏光板の視野角特性を改善することができ、投写させる画像全体のコントラストを向上させることができる。
【発明を実施するための最良の形態】
【００２３】
以下、実施形態を図面に基づいて説明する。
（実施形態）
【００２４】
図１は、本実施形態に係るプロジェクタの光学系の概略構成を示す図である。図１を参照して、光学系４の構成および動作を説明する。
【００２５】
プロジェクタ１の光学系４は、照明光学装置としてのインテグレータ照明光学系４１と、色分離光学系４２と、リレー光学系４３と、変調装置４４と、色合成光学系４５と、投写装置としての投写レンズ４６と、を備える。
【００２６】
インテグレータ照明光学系４１は、変調装置４４を構成する３枚の液晶パネル４４１（赤色光用、緑色光用、青色光用の液晶パネル４４１を、それぞれ液晶パネル４４１Ｒ，４４１Ｇ，４４１Ｂとして示す）の画像形成領域を略均一に照明するための光学系４である。このインテグレータ照明光学系４１は、光源４１１と、第１レンズアレイ４１４と、第２レンズアレイ４１５と、偏光変換ユニット５００と、反射ミラー４２４と、重畳レンズ４１６とを備えている。
【００２７】
光源４１１は、放射状の光線（光束）を射出する放射光源としての光源ランプ４１２と、この光源ランプ４１２から射出された放射光を反射するリフレクタ４１３とを有する。そして、光源ランプ４１２から射出された放射状の光束は、リフレクタ４１３で反射されて略平行光束とされ、外部へと射出される。光源ランプ４１２として、本実施形態では、高圧水銀ランプを採用しているが、例えばメタルハライドランプやハロゲンランプなどを採用してもよい。また、リフレクタ４１３として、本実施形態では、放物面鏡を採用しているが、これに限らず、楕円面鏡のリフレクタとリフレクタの射出面側に平行化凹レンズとを配置した構成を採用してもよい。
【００２８】
第１レンズアレイ４１４は、照明光軸Ｌ方向から見て略矩形状の輪郭を有する小レンズがマトリクス状に配列された構成を有している。各小レンズは、光源ランプ４１２から射出される光束を、複数の部分光束に分割している。
【００２９】
第２レンズアレイ４１５は、第１レンズアレイ４１４と略同様な構成を有しており、小レンズがマトリクス状に配列された構成を有している。この第２レンズアレイ４１５は、重畳レンズ４１６とともに、第１レンズアレイ４１４の各小レンズの像を液晶パネル４４１上に結像させる機能を有している。
【００３０】
偏光変換ユニット５００は、第２レンズアレイ４１５の後段に配置される。偏光変換ユニット５００は、第２レンズアレイ４１５からの光束を略１種類の偏光光に変換するものであり、これにより、変調装置４４での光の利用効率が高められている。なお、偏光変換ユニット５００に関しての詳細は後述する。
【００３１】
偏光変換ユニット５００によって略１種類の偏光光に変換された各部分光は、重畳レンズ４１６によって最終的に変調装置４４の液晶パネル４４１Ｒ，４４１Ｇ，４４１Ｂ上に略重畳される。偏光光を変調するタイプの液晶パネル４４１を用いた本実施形態のプロジェクタ１では、変調装置４４において、１種類の偏光光しか利用できないため、他種類のランダムな偏光光を発する光源ランプ４１２からの光束の略半分が利用されない。このため、偏光変換ユニット５００を用いることにより、光源ランプ４１２から射出された光束を略全て１種類の直線偏光光束に変換し、変調装置４４での光の利用効率を高めている。
【００３２】
色分離光学系４２は、２枚のダイクロイックミラー４２１，４２２と、反射ミラー４２３とを備え、ダイクロイックミラー４２１，４２２によりインテグレータ照明光学系４１から射出された複数の部分光束を赤色光、緑色光、青色光の３色の色光に分離する機能を有している。
【００３３】
リレー光学系４３は、入射側レンズ４３１、リレーレンズ４３３、および反射ミラー４３２，４３４を備え、色分離光学系４２で分離された色光（本実施形態では青色光）を液晶パネル４４１Ｂまで導く機能を有している。
【００３４】
この際、色分離光学系４２のダイクロイックミラー４２１では、インテグレータ照明光学系４１から射出された光束の青色光成分と緑色光成分とが透過するとともに、赤色光成分が反射する。ダイクロイックミラー４２１によって反射した赤色光は、反射ミラー４２３で反射し、フィールドレンズ４１７を通って赤色光用の液晶パネル４４１Ｒに達する。このフィールドレンズ４１７は、第２レンズアレイ４１５から射出された各部分光束をその中心軸（主光線）に対して平行な光束に変換する。他の液晶パネル４４１Ｇ，４４１Ｂの光入射側に設けられたフィールドレンズ４１７も同様である。
【００３５】
ダイクロイックミラー４２１を透過した緑色光と青色光のうち、緑色光は、ダイクロイックミラー４２２によって反射し、フィールドレンズ４１７を通って緑色光用の液晶パネル４４１Ｇに達する。一方、青色光は、ダイクロイックミラー４２２を透過してリレー光学系４３を通り、更にフィールドレンズ４１７を通って青色光用の液晶パネル４４１Ｂに達する。なお、青色光にリレー光学系４３を用いているのは、青色光の光路の長さが他の色光の光路長さよりも長いため、光の拡散などによる光の利用効率の低下を防止するためである。すなわち、入射側レンズ４３１に入射した部分光束をそのまま、フィールドレンズ４１７に伝えるためである。
【００３６】
変調装置４４は、３枚の光変調装置となる液晶パネル４４１（４４１Ｒ，４４１Ｇ，４４１Ｂ）と、偏光板４４２と、光学補償板４４３とを備えている。なお、液晶パネル４４１Ｒ，４４１Ｇ，４４１Ｂは、本実施形態では、ＴＮ型の動作を行なう液晶を用いている。また、液晶パネル４４１Ｒ，４４１Ｇ，４４１Ｂは、垂直配向型の動作を行なう液晶を用いることもできる。
【００３７】
色分離光学系４２で分離された各色光は、３枚の液晶パネル４４１Ｒ，４４１Ｇ，４４１Ｂと、これらの光束入射側および光束射出側に備える偏光板４４２とによって、画像情報に基づき変調されて光学像を形成する。
【００３８】
偏光板４４２は、液晶パネル４４１（４４１Ｒ，４４１Ｇ，４４１Ｂ）の前段に配置される入射側偏光板４４２Ａと、後段に配置される射出側偏光板４４２Ｂとを備えている。入射側偏光板４４２Ａは、色分離光学系４２で分離された各色光のうち、一定方向の偏光光のみ透過させ、その他の偏光光を吸収するものであり、サファイアガラスなどの基板に偏光膜が貼着されたものである。また、基板を用いずに、偏光膜をフィールドレンズ４１７に貼着してもよい。
【００３９】
射出側偏光板４４２Ｂも、入射側偏光板４４２Ａと略同様に構成され、液晶パネル４４１（４４１Ｒ，４４１Ｇ，４４１Ｂ）から射出された光束のうち、所定方向の偏光光のみ透過させ、その他の偏光光を吸収するものであり、サファイアガラスなどの基板に偏光膜が貼着されたものである。また、基板を用いずに、偏光膜をクロスダイクロイックプリズム４５１に貼着してもよい。なお、本実施形態の偏光板４４２は、長方形状をなしており、この長辺方向を新たにＸ軸方向、短辺方向を新たにＹ方向とした場合、これらの入射側偏光板４４２Ａ、射出側偏光板４４２Ｂは、互いの偏光軸の方向が、Ｙ軸方向およびＸ軸方向であり、直交するように設定されている。
【００４０】
光学補償板４４３は、液晶分子の屈折率が方向によって異なることに起因する液晶パネル４４１の視野角特性を補正している。また、本実施形態では、ＴＮ型の液晶を用いることから、光学補償板４４３は、２枚で構成されている。詳細には、光学補償板４４３は、液晶パネル４４１（４４１Ｒ，４４１Ｇ，４４１Ｂ）の後段に配置される第１光学補償板４４３Ａと第２光学補償板４４３Ｂとを備えている。
【００４１】
第１光学補償板４４３Ａは、液晶パネル４４１の後段に配置され、液晶パネル４４１から射出された変調光に対して、液晶パネル４４１の上下方向の視野角特性を補正するものである。また、第１光学補償板４４３Ａは、透明ガラス基板に光学変換フィルムを貼着したもの、または透明ガラス基板に光学変換膜が蒸着されたものである。第２光学補償板４４３Ｂは、第１光学補償板４４３Ａの後段に配置され、液晶パネル４４１から射出された変調光に対して、液晶パネル４４１の左右方向の視野角特性を補正するものである。また、第２光学補償板４４３Ｂも第１光学補償板４４３Ａと同様に、透明ガラス基板に光学変換フィルムを貼着したもの、または透明ガラス基板に光学変換膜が蒸着されたものである。この第１光学補償板４４３Ａおよび第２光学補償板４４３Ｂにより、液晶パネル４４１の視野角特性を補正して投写画像のコントラストを向上させている。
【００４２】
色合成光学系４５は、クロスダイクロイックプリズム４５１で構成されている。クロスダイクロイックプリズム４５１は、３枚の液晶パネル４４１Ｒ，４４１Ｇ，４４１Ｂから射出された各色光毎に変調された光学像を合成してカラーの光学像を形成するものである。なお、クロスダイクロイックプリズム４５１には、赤色光を反射する誘電体多層膜と青色光を反射する誘電体多層膜とが、４つの直角プリズムの界面に沿って略Ｘ字状に形成され、これらの誘電体多層膜によって３つの色光が合成される。
【００４３】
投写レンズ４６は、複数のレンズが組み合わされた組レンズとして構成され、クロスダイクロイックプリズム４５１で合成されたカラーの光学像（カラー画像）を、例えば、スクリーン上に投写する。この投写レンズ４６には、複数のレンズの相対位置を変更するレバー（図示省略）を備え、投写されるカラー画像のフォーカス調整およびズーム調整が可能に構成されている。なお、光学系４を構成する光学部品４１〜４６は、光学部品用筐体（図示省略）の所定の場所に収容され、プロジェクタ１の本体内部に設置される。
【００４４】
なお、プロジェクタ１の本体内部には、冷却用ファン（図示省略）や、冷却用ファンが吸気した外気を流動させるダクト（図示省略）などが備えられている。この冷却用ファンおよびダクトにより、光学系４が駆動した場合に発熱する光源４１１、偏光変換ユニット５００、液晶パネル４４１、偏光板４４２などに対して、吸気した外気を吐出することにより冷却している。
【００４５】
図２は、偏光変換ユニットを光束入射側から見た斜視図である。図３は、偏光変換素子アレイを光束入射側から見た斜視図である。図４は、遮光板を光束入射側から見た斜視図である。図２〜図４を参照して、偏光変換ユニット５００の構成を説明する。
【００４６】
偏光変換ユニット５００は、図２〜図４に示すように、偏光変換素子アレイ５１０と、遮光板５５０とで構成されている。なお、遮光板５５０は、偏光変換素子アレイ５１０の前段に設置される。
【００４７】
遮光板５５０は、図２、図４に示すように、第２の開口部としての開口部５５１と第２の遮光部としての遮光部５５２とで構成されている。そして、遮光板５５０の開口部５５１は、偏光変換素子アレイ５１０の後述する有効入射領域５２０Ｂに相対し、有効入射領域５２０Ｂに沿ってスリット状に形成され、光束を偏光変換素子アレイ５１０の有効入射領域５２０Ｂに入射させる。また、遮光板５５０の遮光部５５２は、開口部５５１以外の部分に相当し、偏光変換素子アレイ５１０の有効入射領域に隣接する無効入射領域５２０Ｃに相対して設けられ、光束を無効入射領域５２０Ｃに入射させないように遮光する。なお、遮光板５５０は、本実施形態では、光束の入射する面側の反射率を向上させたステンレス部材を用いている。なお、遮光板５５０は、ステンレス部材の他、アルミニウム合金部材などの金属部材を用いてもよい。また、遮光板５５０は、入射光束を透過しない部材であればよい。
【００４８】
なお、第２レンズアレイ４１５から射出された光束は、各小レンズにより集光されたランダムな偏光軸を有する光束である。遮光板５５０は、このような光束を開口部５５１を介して、偏光変換素子アレイ５１０の有効入射領域５２０Ｂに入射させて、有効な偏光光を生成させる。また、遮光板５５０は、遮光部５５２により、光束を遮光することで、偏光変換素子アレイ５１０の無効入射領域５２０Ｃに入射して無効な偏光光を生成することを防止する。
【００４９】
偏光変換素子アレイ５１０は、図２、図３に示すように、板状の偏光変換素子５２０と、短冊状の複数（本実施形態では５つ）の位相差板５３０とを備えて構成されている。また、偏光変換素子アレイ５１０は、後述する入射面５２０Ａに薄膜５４０を形成して構成されている。
【００５０】
偏光変換ユニット５００は、遮光板５５０の開口部５５１を介して、偏光変換素子アレイ５１０の有効入射領域５２０Ｂに入射した光束を、偏光変換素子アレイ５１０で２種類の直線偏光光に分離し、一方の直線偏光光はそのまま射出し、他方の直線偏光光は、後述する位相差板５３０により偏光軸を９０°回転させて、一方の直線偏光光の偏光軸と同一なものに変換して後段に射出する。
【００５１】
偏光変換素子アレイ５１０は、詳細には、図３に示すように、２つの板状の偏光変換素子５２０をＸ軸方向に左右対称となるように、端面で貼り合わせた形態で構成されている。偏光変換素子５２０は、入射光束に対して傾斜配置（照明光軸Ｌに対して略４５°の角度をなすように配置）された複数の偏光分離膜５２１と、各偏光分離膜５２１の間に交互に並行配置された反射膜５２２と、これらの偏光分離膜５２１および反射膜５２２の間に介在配置された透光性部材５２３とを備えている。
【００５２】
また、偏光変換素子５２０は、言い換えると、断面平行四辺形の柱状部材となる複数の透光性部材５２３の両端面に、偏光分離膜５２１と反射膜５２２とを交互に備えた状態となるように配列されて板状に構成されている。
【００５３】
偏光分離膜５２１は、誘電体多層膜などで構成されている。この偏光分離膜５２１は、入射光束において、偏光分離膜５２１の入射面に対して平行な偏光軸を有する一方の直線偏光光としての光束（本実施形態では、Ｓ偏光光）を反射し、このＳ偏光光と直交する偏光軸を有する光束（Ｐ偏光光）を透過するものであり、有効入射領域５２０Ｂを通過した入射光束を２種類の直線偏光光束に分離している。
【００５４】
反射膜５２２は、例えば、高反射性を有するアルミニウム、金、銀、銅、クロムなどの単一金属材料や、これら複数種類の金属を含む合金などで構成され、偏光分離膜５２１で分離された２種類の直線偏光光束のうちの一方の反射されたＳ偏光光を反射する。なお、反射膜５２２は、偏光分離膜５２１と同等のものを使用してＳ偏光光を反射させることもできる。透光性部材５２３は、光束が内部を通過するものであり、本実施形態では、白板ガラスを用いている。
【００５５】
位相差板５３０は、λ／２位相差板を用いており、偏光分離膜５２１で分離された２種類の直線偏光光束のうち一方の直線偏光光束である透過したＰ偏光光の偏光軸を９０°回転させ、他方の直線偏光光束であるＳ偏光光に変換する。この位相差板５３０は、図３に示すように、偏光変換素子５２０の光束の射出面５２０Ｅ（ここでは、位相差板５３０の射出面）において、照明光軸Ｌに沿った方向から見た場合に、偏光分離膜５２１に対応する位置に貼着されている。
【００５６】
このように構成された偏光変換素子アレイ５１０において、光束が入射する側となる偏光変換素子５２０の面を入射面５２０Ａと呼称する。また、入射した光束が偏光変換されて射出する側となる偏光変換素子５２０および位相差板５３０の面を射出面５２０Ｅと呼称する。
【００５７】
入射面５２０Ａは、上述した構成により、光束を入射させることで所望する偏光変換を行なえる領域（入射光束として有効とする領域）となる複数の有効入射領域５２０Ｂと、反対に、光束を入射させることで所望する偏光変換が行なえない領域（入射光束として無効とする領域）となる複数の無効入射領域５２０Ｃとで構成される。入射面５２０Ａは、この有効入射領域５２０Ｂと無効入射領域５２０Ｃとが所定間隔（透光性部材５２３の配列されるピッチ）で交互に配置される。
【００５８】
また、偏光変換素子アレイ５１０の入射面５２０Ａ上には、薄膜５４０が形成されている。薄膜５４０は、本実施形態では、後述する蒸着法により形成される。薄膜５４０は、入射光束を通過させる開口部５４１と、有効入射領域５２０Ｂに入射しない入射光束を遮光する遮光部５４２とを有して形成されている。開口部５４１は、有効入射領域５２０Ｂに対応させて有効入射領域５２０Ｂに沿って形成され、遮光部５４２は、開口部５４１以外の領域に形成される。
【００５９】
開口部５４１は、本実施形態では、第１開口部５４１１、第２開口部５４１２、第３開口部５４１３とで構成されている。また、開口部５４１は、入射面５２０Ａにおいて、照明光軸Ｌを中心で、Ｘ軸方向に左右対称に、また、Ｙ軸方向に上下対称に形成されている。詳細には、入射面５２０Ａの中心部に位置する有効入射領域５２０Ｂで入射面５２０Ａの上下方向（Ｙ軸方向）で、入射面５２０Ａの外形端部に達して第１開口部５４１１が形成される。言い換えると、第２開口部５４１２は、上下方向端部に３方向が遮光部５４２で囲まれた部分を有する。また、中心部から左右方向で、次の有効入射領域５２０Ｂにおいて、入射面５２０Ａの上下方向の外形端部から同距離分内側に入った領域に第２開口部５４１２が形成される。また、第２開口部５４１２の左右方向で、次の有効入射領域５２０Ｂにおいて、入射面５２０Ａの上下方向の外形端部から同距離分内側に入った領域で、第２開口部５４１２の上下方向の長さより短く設定される第３開口部５４１３が形成される。言い換えると、第３開口部５４１３もまた、上下方向端部に３方向が遮光部５４２囲まれた部分を有する。
【００６０】
なお、第２開口部５４１２および第３開口部５４１３は、後述する偏光板４４２のコントラスト視野角特性に応じて、偏光板４４２に入射する光束の入射方位を制限している。そのために、第２開口部５４１２および第３開口部５４１３が形成される有効入射領域５２０Ｂにおいて、第２開口部５４１２および第３開口部５４１３の上下方向に、遮光部５４２が設けられている。
【００６１】
なお、第２開口部５４１２と第３開口部５４１３とは、無効入射領域５２０Ｃに形成された接続用開口部５４１２ａにより接続されている。また、第３開口部５４１３と入射面５２０Ａの左右方向の外形端部とが、無効入射領域５２０Ｃに形成された接続用開口部５４１３ａにより接続されている。
【００６２】
これにより、開口部５４１は、第１開口部５４１１が上下方向で、入射面５２０Ａの上下方向の外形端部と接続される形態となる。また、開口部５４１は、第２開口部５４１２と第３開口部５４１３とが、接続用開口部５４１２ａ，５４１３ａにより、入射面５２０Ａの左右方向の外形端部と接続される形態となる。なお、入射面５２０Ａにおいて、開口部５４１以外となる領域に形成される薄膜５４０が遮光部５４２に相当する。
【００６３】
図５は、偏光変換ユニットを光束入射側から見た正面図である。図５に示すように、遮光板５５０の開口部５５１に相対して、偏光変換素子アレイ５１０の入射面５２０Ａに形成した開口部５４１が形成されている。なお、有効入射領域５２０Ｂに形成した第２開口部５４１２および第３開口部５４１３の上下方向の遮光部５４２が遮光板５５０の開口部５５１を介して露出した状態となる。
【００６４】
従って、遮光板５５０の開口部５５１から入射した光束は、第１開口部５４１１、第２開口部５４１２、第３開口部５４１３に入射する。そして、第２開口部５４１２および第３開口部５４１３の上下方向の上記露出した遮光部５４２では、遮光板５５０の開口部５５１から入射した光束が反射（遮光）される。
【００６５】
また、無効入射領域５２０Ｃに形成した接続用開口部５４１２ａ，５４１３ａは、遮光板５５０の遮光部５５２により、隠れた状態となる。従って、接続用開口部５４１２ａ，５４１３ａには、光束は入射されない。
【００６６】
図６は、偏光変換ユニットの外略断面図である。なお、図６は、図５でのＡ−Ａ断面図である。また、図６は、第２レンズアレイ４１５の一部の断面図も表している。図６を参照して、偏光変換ユニット５００の動作を説明する。
【００６７】
第２レンズアレイ４１５から射出された光束は、各小レンズにより集光されたランダムな偏光軸を有する光束であり、偏光変換ユニット５００の所定領域に入射する。なお、図６中の破線で示すように、第２レンズアレイ４１５から射出された光束のうち、偏光変換素子アレイ５１０の無効入射領域５２０Ｃに入射することになる無効な偏光光を生成する光束を遮光板５５０の遮光部５５２で遮断（遮光）している。
【００６８】
遮光板５５０の開口部５５１から入射した光束は、薄膜５４０に形成した開口部５４１に入射する。開口部５４１に入射した光束は、透光性部材５２３を透光し、偏光分離膜５２１により、Ｐ偏光光およびＳ偏光光に分離される。Ｐ偏光光は、偏光分離膜５２１を透過し、Ｓ偏光光は偏光分離膜５２１で反射して光路が略９０°変換される。
【００６９】
偏光分離膜５２１で反射したＳ偏光光は、反射膜５２２で反射され、再度、光路が略９０°変換され、偏光変換素子アレイ５１０への入射方向と略同一方向に進み、偏光変換素子５２０の射出面５２０Ｅから射出される。また、偏光分離膜５２１を透過したＰ偏光光は、位相差板５３０に入射し、偏光軸が９０°回転されてＳ偏光光に変換され、Ｓ偏光光として位相差板５３０の射出面５２０Ｅから射出される。したがって、偏光変換ユニット５００から射出される光束は、略１種類の直線偏光光束となるＳ偏光光に揃えられる。
【００７０】
なお、図６の照明光軸Ｌの左側では、前述したように、第２開口部５４１２および第３開口部５４１３の上下方向の露出した遮光部５４２で、遮光板５５０の開口部５５１から入射した光束が反射（遮光）され、透光性部材５２３には入射されない。
【００７１】
図７は、偏光変換素子アレイの入射面に薄膜を形成する治具となるマスクの概略斜視図である。図８は、偏光変換素子アレイの入射面にマスクを設置した状態の概略斜視図である。図７、図８を参照して、マスク７００による薄膜５４０の形成に関して説明する。
【００７２】
マスク７００は、図７に示すように、概略矩形薄板形状をなすマスク本体７１０に、開口部７２０を形成したものである。このマスク７００を、図８に示すように、偏光変換素子アレイ５１０の入射面５２０Ａに固定した後、蒸着を行なう。蒸着により、マスク７００の開口部７２０に相対する偏光変換素子アレイ５１０の入射面５２０Ａが蒸着され、それ以外の入射面５２０Ａは蒸着されない。マスク７００の開口部７２０の形状が薄膜５４０の遮光部５４２の形状となる。
【００７３】
なお、マスク７００は、本実施形態では、１つのマスク７００で構成させるために、薄膜５４０の第２開口部５４１２や第３開口部５４１３を形成させる領域となる開口形成領域７２２，７２３を、接続領域７２２ａ，７２３ａで接続させている。また、この接続領域７２２ａ，７２３ａにより、薄膜５４０の接続用開口部５４１２ａ，５４１３ａが形成される。また、開口形成領域７２１により、薄膜５４０の第１開口部５４１１が形成される。このようなマスク７００により、図３に示すような、薄膜５４０が偏光変換素子５２０の入射面５２０Ａに形成される。蒸着する部材は、本実施形態では、アルミニウムを用いている。なお、蒸着する部材はこの他に、金、銀、銅、クロムなどの単一金属部材や、これら複数種類の金属を含む合金などを用いてもよい。
【００７４】
図９は、偏光板が有するコントラストの視野角特性を示す図である。また、図９は、詳細には、光源４１１から射出された光束を、第１レンズアレイ４１４、第２レンズアレイ４１５を介し、また、薄膜５４０が形成されていない偏光変換ユニットを用い、液晶パネル４４１と光学補償板４４３を除いた状態で、入射側偏光板４４２Ａおよび射出側偏光板４４２Ｂから射出された光束のコントラストの変化を測定した図である。また、「黒」状態は、入射側偏光板４４２Ａおよび射出側偏光板４４２Ｂの偏光軸方向を互いに直交させて測定している。また、「白」状態は、射出側偏光板４４２Ｂの偏光軸方向を、入射側偏光板４４２Ａの偏光軸方向に一致させて測定している。
【００７５】
なお、図９は、射出側偏光板４４２Ｂの射出側から光源４１１方向を見た状態を示している。そして、照明光軸ＬをＸ軸（左右方向）とＹ軸（上下方向）の交点とし、交点を通る垂直方向をＺ軸方向としている。従って、図９は、Ｚ軸を中心とした（Ｘ，Ｙ）の座標で視野角を示すとともに、方位によるコントラストの変化を示している。なお、視野角は、±１０°の範囲での測定結果を示している。
【００７６】
図９において、Ａで示す領域は、コントラストが０〜２００００の範囲を示し、Ｂで示す領域は、コントラストが２００００〜４００００の範囲を示し、Ｃで示す領域は、コントラストが４００００〜６００００の範囲を示している。図９に示すように、偏光板４４２の面に略垂直な方向、すなわちＺ軸方向から見たときがコントラストが高くなる。また、Ｚ軸方向から傾く（視野角が大きくなる）方向から見ると、コントラストは低くなる。また、コントラストの視野角依存性は、偏光板４４２の軸方向（Ｘ軸方向およびＹ軸方向）から見た場合には小さく、Ｘ軸方向からＹ軸方向、あるいはＹ軸方向からＸ軸方向に変化する方向から見た場合には大きくなる。
【００７７】
詳細には、図９に矢印で示す方向（Ｘ軸とＹ軸の交点（Ｚ軸）を中心に、Ｘ軸の＋方向を０°として反時計まわりに、略４５°、略１３５°、略２２５°、略３１５°の方向）から見た場合の、コントラストの視野角依存性が大きく、視野角が大きくなるとコントラストは著しく低下する。従って、偏光板４４２では、略、θ＝４５°，１３５°，２２５°，３１５°の方位から光束が入射されると、コントラストが悪化することがわかる。
【００７８】
このような特性を有する偏光板４４２に対して、本実施形態では、コントラストが悪化する方位（略、θ＝４５°，１３５°，２２５°，３１５°の方位）に対応させて、薄膜５４０による遮光部５４２を形成している。詳細には、図３に示すように、略、θ＝４５°，１３５°，２２５°，３１５°の方位に対応させて、第２開口部５４１２および第３開口部５４１３が形成される有効入射領域５２０Ｂにおいて、第２開口部５４１２および第３開口部５４１３の上下方向（Ｙ軸方向）に、遮光部５４２を形成している。このように、略、θ＝４５°，１３５°，２２５°，３１５°の方位から入射する光量を低減することで、入射側偏光板４４２Ａと射出側偏光板４４２Ｂが有する視野角特性を改善し、コントラストを向上させている。
【００７９】
なお、上述したように、薄膜５４０による遮光部５４２は、偏光板４４２のコントラストが悪化する方位（略、θ＝４５°，１３５°，２２５°，３１５°の方位）に対応させて形成され、当該方位から入射する光量を低減する。言い換えると、薄膜５４０による開口部５４１は、偏光板４４２のコントラストが良い方位（Ｘ軸方向、Ｙ軸方向）に対応させた領域に形成することで、偏光板４４２の偏光軸方向から斜めとなる方位（略、θ＝４５°，１３５°，２２５°，３１５°の方位）に対応した領域より明るくなるように形成されている。
【００８０】
更に、言い換えると、薄膜５４０の開口部５４１は、図３に示すように、入射面５２０Ａにおいて、入射側偏光板４４２Ａと射出側偏光板４４２Ｂのそれぞれの偏光軸方向に相対する領域に対し、液晶パネル４４１から見込むＦナンバー（明るさ）が、偏光軸方向に対して斜めとなる方向に相対する領域に対するＦナンバー（明るさ）に比べて小さくなる（明るくなる）ように形成されている。
【００８１】
上述した、実施形態によれば以下の効果が得られる。
（１）本実施形態のプロジェクタ１によると、入射面５２０Ａの外形に対して内側で、薄膜５４０で形成され、有効入射領域５２０Ｂに対応させて有効入射領域５２０Ｂに沿って形成される第２開口部５４１２、第３開口部５４１３を有している。これにより、従来のように、入射面５２０Ａの外形に渡って、有効入射領域５２０Ｂに対応させて有効入射領域５２０Ｂに沿ってストライプ状に形成されること（例えば、第１開口部５４１１の形態）以外に、開口部の形状を入射面５２０Ａの外形に対して内側で、適宜、形成することができるため、スクリーンなどに投写される画像のコントラストを例えば変調装置４４の視野角特性などに合わせて調整しやすくなり、コントラストを向上することができる。併せて、入射面５２０Ａに開口部５４１と遮光部５４２とを有する薄膜５４０を形成するため、偏光変換素子アレイ５１０の冷却効率を向上させることができる。
【００８２】
（２）本実施形態のプロジェクタ１によると、第２開口部５４１２、第３開口部５４１３の一部の領域が、接続用開口部５４１２ａ，５４１３ａを介して、入射面５２０Ａの外形端部に達した形態としている。これにより、入射面５２０Ａに薄膜５４０を形成させるために使用する治具としてのマスク７００において、第２開口部５４１２、第３開口部５４１３を形成させる領域となる開口形成領域７２２，７２３を、接続領域７２２ａ，７２３ａで接続させることができるため、１つのマスク７００で構成することができる。従って、別体でマスクを構成して薄膜を形成させる場合に比べて、入射面５２０Ａへの薄膜５４０の形成を効率的に行なうことができ、入射面５２０Ａに対する開口部５４１（第１開口部５４１１、第２開口部５４１２、第３開口部５４１３）のそれぞれの位置ずれも低減でき、高精度に形成することができる。また、これにより、薄膜５４０形成による歩留まりを向上でき、薄膜５４０形成のコスト削減を図ることができる。
【００８３】
（３）本実施形態のプロジェクタ１によると、第２開口部５４１２、第３開口部５４１３の一部の領域が、無効入射領域５２０Ｃに形成される接続用開口部５４１２ａ，５４１３ａを介して、入射面５２０Ａの外形端部に達した形態としている。しかし、遮光板５５０の遮光部５５２により、この無効入射領域５２０Ｃに形成された領域（接続用開口部５４１２ａ，５４１３ａ）を遮光することができるため、接続用開口部５４１２ａ，５４１３ａへの光束の入射を防止することができる。
【００８４】
（４）本実施形態のプロジェクタ１によると、薄膜５４０の遮光部５４２は、アルミニウムの蒸着により構成されている。これにより、プロジェクタ１の本体内部の冷却用ファン（図示省略）を起動して、偏光変換素子アレイ５１０を冷却する場合、金属製の薄膜５４０であるため、熱伝導性が良く、冷却効率を向上させることができる。
【００８５】
（５）本実施形態のプロジェクタ１によると、薄膜５４０の開口部５４１は、使用する偏光板４４２のコントラスト視野角特性に対応させて、入射面５２０Ａにおいて、入射側偏光板４４２Ａと射出側偏光板４４２Ｂのそれぞれの偏光軸方向に相対する領域に対するＦナンバーが、偏光軸方向に対して斜めとなる方向に相対する領域に対するＦナンバーに比べて小さくなるように形成している。詳細には、略、θ＝４５°，１３５°，２２５°，３１５°の方位から入射される光量を、薄膜５４０の遮光部５４２により、低減させるために、入射側偏光板４４２Ａと射出側偏光板４４２Ｂのコントラスト視覚特性を改善することができ、投写させる画像全体の光量は若干の割合で減少するが、それ以上の割合で、コントラストを向上させることができる。
【００８６】
（６）本実施形態のプロジェクタ１によると、遮光板５５０の開口部５５１はそれぞれ同様の長さの開口領域を有して構成されているため、プロジェクタに使用される光学系が異なり、これに伴い、薄膜の開口部の形状が異なった場合にも、本実施形態の遮光板５５０を共通に使用することが可能となる。これにより、偏光変換ユニットの製造コストを低減することもできる。
【００８７】
なお、上述した実施形態に限定されず、種々の変更や改良などを加えて実施することが可能である。変形例を以下に述べる。
【００８８】
（変形例１）前記実施形態では、薄膜５４０の遮光部５４２は、金属製（アルミニウム）の薄膜５４０で構成されている。しかし、これに限られず、薄膜の遮光部は、入射光束の波長帯域において、少なくとも一部の波長帯域を遮光する誘電体多層膜で構成されていてもよい。誘電体多層膜は、入射面５２０Ａに、前記実施形態と同様のマスクなどを用いてコーティングすることで形成することができる。
【００８９】
このような誘電体多層膜を薄膜の遮光部に使用し、入射光束の波長帯域において、少なくとも一部の波長帯域を遮光することにより、光源４１１が射出する光束（入射光束）の色温度に対し、ホワイトバランスを調整することができるため、スクリーンなどに投写される画像全体のカラーバランスを調整できる。また、前記実施形態と同様に、入射光束の波長帯域（可視光）全体を遮光することもできる。
【００９０】
図１０は、光源から射出される光束のスペクトル特性を示す図である。プロジェクタに使用される光源（本実施形態では、光源４１１）から射出される光束は、図１０に示すように、光量比で緑色光（Ｇ）が一番高く、青色光（Ｂ）が次に高く、赤色光（Ｒ）が最も低くなっている。従って、射出された光束は、色温度が高く、青みがかった白色となる。そこで、上記誘電体多層膜は、更に、入射光束のうち、少なくとも緑色光および青色光の波長帯域を遮光することがよい。これにより、緑色光および青色光を遮光（反射）させて、赤色光を透過させることにより、赤色光の光量比を相対的に増やすことができるため、射出された光束の色温度を低くすることができ、赤みがかった白色の方向に、ホワイトバランスを調整することができる。
【００９１】
なお、上述した誘電体多層膜を入射面５２０Ａに形成する場合、入射面５２０Ａの無効入射領域５２０Ｃに対応する領域は、入射光束の波長帯域（可視光）全体を遮光する誘電体多層膜として形成することがよい。これにより、無効入射領域５２０Ｃに入射する光束を遮光することができるとともに、遮光板５５０を使用する場合および使用しない場合のどちらにも適用できる偏光変換素子アレイが実現する。
【００９２】
（変形例２）前記実施形態では、第２開口部５４１２の領域が第３開口部５４１３の領域より上下方向で長く形成されている。しかし、これに限られず、偏光板４４２のコントラスト視野角特性に対応させて、第２開口部５４１２と第３開口部５４１３の上下方向の領域の長さをそれぞれ適切に設定することでよく、第２開口部５４１２と第３開口部５４１３の上下方向の領域の長さを同じに設定することもできる。
【００９３】
（変形例３）前記実施形態では、遮光板５５０を設置しており、第２開口部５４１２と第３開口部５４１３の一部を入射面５２０Ａの外形端部に接続するために無効入射領域５２０Ｃに形成した接続用開口部５４１２ａ，５４１３ａへの入射光束を遮光している。しかし、これに限られず、マスクを別体で形成し、接続用開口部５４１２ａ，５４１３ａを排除することができる。この場合には、遮光板５５０は使用しなくてもよい。また、遮光板５５０を使用しない場合には、偏光変換関連部品（遮光板５５０を含む周辺の固定用部材など）を減らすことができ、偏光変換ユニットの組み立てコストも低減させることができる。
【００９４】
（変形例４）前記実施形態では、遮光板５５０により、無効入射領域５２０Ｃに形成される接続用開口部５４１２ａ，５４１３ａへの入射光束を遮光している。しかし、この形態において、遮光板５５０を必ずしも使用しなくてもよい。接続用開口部５４１２ａ，５４１３ａから光束が入射した場合には、反射膜５２２は、偏光分離膜として機能し、偏光分離膜５２１は、反射膜として機能する。従って、接続用開口部５４１２ａ，５４１３ａから入射した光束は、Ｐ偏光光となって射出されてしまう。そこで、接続用開口部５４１２ａ，５４１３ａの上下方向の幅を、マスク７００の接続領域７２２ａ，７２３ａで接続できる最小の幅に設定することで、極力狭く形成させ、遮光板５５０を使用しないことでもよい。この場合、形成した接続用開口部５４１２ａ，５４１３ａから入射した光束は、位相差板５３０、偏光板４４２などに熱として吸収されるため、冷却ファンによる冷却の許容範囲内（温度保証可能範囲）であることを確認した上で、遮光板５５０を使用しないことも可能である。
【００９５】
（変形例５）前記実施形態では、遮光板５５０の開口部５５１は同様の長さの開口領域を有しているが、薄膜５４０で形成される開口部５４１（第１開口部５４１１、第２開口部５４１２、第３開口部５４１３）と同様の開口領域を有していても良い。これにより、更に、無効な光束を遮光することができる。
【００９６】
（変形例６）前記実施形態では、光変調装置に３つの液晶パネル４４１を用いたプロジェクタ１を説明したが、これに限られない。例えば、１つの液晶パネルのみを用いたプロジェクタ、２つの液晶パネルを用いたプロジェクタ、あるいは、４つ以上の液晶パネルを用いたプロジェクタにも適用可能である。
【００９７】
（変形例７）前記実施形態では、透過型の液晶パネル４４１を用いているが、反射型の液晶パネルなど、反射型の光変調装置を用いることも可能である。
【００９８】
（変形例８）前記実施形態では、光源４１１として放電式ランプを用いているが、これに限られず、光源として、ＬＥＤ（Light Emitting Diode）素子などを用いることができる。
【００９９】
（変形例９）前記実施形態のプロジェクタ１は、フロントタイプのプロジェクタとして適用しているが、投写対象面としてのスクリーンを一体で有するリアタイプのプロジェクタにも適用できる。
【図面の簡単な説明】
【０１００】
【図１】本実施形態に係るプロジェクタの光学系の概略構成を示す図。
【図２】偏光変換ユニットを光束入射側から見た斜視図。
【図３】偏光変換素子アレイを光束入射側から見た斜視図。
【図４】遮光板を光束入射側から見た斜視図。
【図５】偏光変換ユニットを光束入射側から見た正面図。
【図６】偏光変換ユニットの外略断面図。
【図７】偏光変換素子アレイの入射面に薄膜を形成する治具となるマスクの概略斜視図。
【図８】偏光変換素子アレイの入射面にマスクを設置した状態の概略斜視図。
【図９】偏光板が有するコントラストの視野角特性を示す図。
【図１０】光源から射出される光束のスペクトル特性を示す図。
【符号の説明】
【０１０１】
１…プロジェクタ、４…光学系、４１…インテグレータ照明光学系、４２…色分離光学系、４３…リレー光学系、４４…変調装置、４５…色合成光学系、４６…投写レンズ、４１１…光源、４１４…第１レンズアレイ、４１５…第２レンズアレイ、４４１…液晶パネル、４４２…偏光板、４４２Ａ…入射側偏光板、４４２Ｂ…射出側偏光板、４４３…光学補償板、５００…偏光変換ユニット、５１０…偏光変換素子アレイ、５２０…偏光変換素子、５２０Ａ…入射面、５２０Ｂ…有効入射領域、５２０Ｃ…無効入射領域、５２０Ｅ…射出面、５２１…偏光分離膜、５２２…反射膜、５２３…透光性部材、５３０…位相差板、５４０…薄膜、５４１…開口部、５４２…遮光部、５５０…遮光板、５５１…開口部、５５２…遮光部、７００…マスク、７１０…マスク本体、７２０…開口部、７２１，７２２，７２３…開口形成領域、７２２ａ，７２３ａ…接続領域、５４１１…第１開口部、５４１２…第２開口部、５４１３…第３開口部、５４１２ａ，５４１３ａ…接続用開口部。
【図１】
2010044298.tif 000003
【図２】
2010044298.tif 000004
【図３】
2010044298.tif 000005
【図４】
2010044298.tif 000006
【図５】
2010044298.tif 000007
【図６】
2010044298.tif 000008
【図７】
2010044298.tif 000009
【図８】
2010044298.tif 000010
【図９】
2010044298.tif 000011
【図１０】
2010044298.tif 000012